(57)【要約】【課題】極めて簡素な構成で、海上コンテナの横開き式の扉の開放時に、扉を所定の角度で保持して回動を防止することができる着脱作業性に優れた海上コンテナ用扉半開き保持治具を提供する。【解決手段】一端側が、側壁１４の開口側端部に回動可能に保持される横開き式の扉１３の開放時に、扉１３を開放状態で保持する海上コンテナ用扉半開き保持治具１０において、扉１３の開放時に、扉１３の一端側と側壁１４の開口側端部との隙間１７に挿通される挿通軸２０と、挿通軸２０の先側に形成され扉１３を挟持する扉挟持部２１と、挿通軸２０を挟んで扉挟持部２１の反対側に形成され側壁１４を挟持する側壁挟持部２２とを有する。【選択図】図３
0003221371.tif 000002
【実用新案登録請求の範囲】
【請求項１】
一端側が、側壁の開口側端部に回動可能に保持される横開き式の扉を開放状態で保持する海上コンテナ用扉半開き保持治具において、
前記扉の開放時に、該扉の一端側と前記側壁の開口側端部との隙間に挿通される挿通軸と、該挿通軸の先側に形成され前記扉を挟持する扉挟持部と、前記挿通軸を挟んで前記扉挟持部の反対側に形成され前記側壁を挟持する側壁挟持部とを有することを特徴とする海上コンテナ用扉半開き保持治具。
【請求項２】
請求項１記載の海上コンテナ用扉半開き保持治具において、前記扉挟持部は、前記挿通軸の先側に該挿通軸と直交して設けられ前記扉の外表面に当接する扉外側支持部と、前記挿通軸の長手方向の途中に前記扉外側支持部と間隔を空けて設けられ前記扉の内面側で該扉の一端側の角部に当接する扉内側支持部とを有し、前記側壁挟持部は、前記挿通軸の先側に該挿通軸と直交して設けられ前記側壁の外表面に当接する側壁外側支持部と、前記挿通軸の長手方向の途中に前記側壁外側支持部と間隔を空けて設けられ前記側壁の内面側で該側壁の開口側角部に当接する側壁内側支持部とを有することを特徴とする海上コンテナ用扉半開き保持治具。
【請求項３】
請求項２記載の海上コンテナ用扉半開き保持治具において、前記側壁外側支持部は、前記扉外側支持部と一体に形成され、該扉外側支持部の延長線上に配置されることを特徴とする海上コンテナ用扉半開き保持治具。
【請求項４】
請求項２又は３記載の海上コンテナ用扉半開き保持治具において、前記扉外側支持部、前記扉内側支持部、前記側壁外側支持部、及び前記側壁内側支持部それぞれの少なくとも先側外周を覆う保護部を有することを特徴とする海上コンテナ用扉半開き保持治具。
【請求項５】
請求項２〜４のいずれか１項に記載の海上コンテナ用扉半開き保持治具において、前記扉外側支持部、前記扉内側支持部、前記側壁外側支持部、及び前記側壁内側支持部それぞれの長手方向に沿って補強材が取付けられていることを特徴とする海上コンテナ用扉半開き保持治具。
【請求項６】
請求項１〜５のいずれか１項に記載の海上コンテナ用扉半開き保持治具において、前記挿通軸の基側にハンドル部が取付けられていることを特徴とする海上コンテナ用扉半開き保持治具。
【考案の詳細な説明】
【技術分野】
【０００１】
本考案は、海上コンテナの収容部（コンテナ本体）の開口部に回動可能に取付けられる横開き式の扉の開放時に、扉を所定の角度（半開きの状態）で保持して回動を防止する海上コンテナ用扉半開き保持治具に関する。
【背景技術】
【０００２】
従来、各種物品（輸送対象物）の輸送に用いられる図４の海上コンテナ３０において、収容部（コンテナ本体）３１の開口部３２に取付けられる扉３３は、横開き（両開き又は片開き）式であり、収容部３１の側壁３４の開口側端部に対し、扉３３の一端側が蝶番３５を介して回動可能に保持されている。そして、荷物の搬入又は搬出を連続的に行う場合には、作業性の面から、扉３３を開放したままで作業を行うことが好ましい。このとき、開放した扉３３が風等で閉じてしまうことを防止するために、図５、図６に示すような扉半開き固定治具３６が利用されている。この扉半開き固定治具３６は、使用時に、扉３３が開放された（半開きの）状態で、扉３３の一端側角部及び側壁３４の内表面に当接する長方形状の当接片３７を有する。この当接片３７の上面側には、当接片３７と直交し、当接片３７の長手方向に沿うように補強片３８が一体に形成されている。そして、補強片３８の上面には、基側が補強片３８の長手方向中央部に溶接され、当接片３７の当接面の長手方向と直交し、先側が扉３３の一端側（回動基部側）と側壁３４の開口側端部との隙間３９に挿通されて蝶番３５に係止される逆Ｌ字状の係止部４０が設けられている。この扉半開き固定治具３６は、簡易的なものであり、扉３３が内側に閉じることは防止できるが、外側に開くことは防止できない。なお、図６の符号４１は、扉３３の一端側に取付けられたパッキンである。
これに対し、例えば、特許文献１等では、チェーン等の一端側を扉に連結し、他端側を収容部の側壁の外側面に取付けられたフック等に係止して、扉を繋ぎ止めている。
【先行技術文献】
【特許文献】
【０００３】
【特許文献１】特開２０１２−１９７６６２号公報
【考案の概要】
【考案が解決しようとする課題】
【０００４】
特許文献１等のように、チェーン等で扉を繋ぎ止める場合、扉が閉じる方向、つまりチェーン等が引っ張られる方向の動きは簡単に規制することができるが、扉を完全に固定するためには、扉を最大開度まで開いた状態で、チェーン等が弛まないように繋ぎ止める必要がある。その場合、扉の開度は１８０度を超え、収容部の側壁の外方まで折り返された状態となるので、収容部の側方に、扉の幅と同等以上のスペースが必要となる。
しかし、複数の海上コンテナを取り扱う輸送拠点等においては、限られたスペースを有効利用するために、海上コンテナ同士が近接して配置されている。これにより、扉の回動に十分なスペースを確保することができず、扉の開放時に隣り合う海上コンテナの扉同士が干渉する場合には、チェーン等で繋ぎ止めることができないという問題がある。
本考案は、かかる事情に鑑みてなされたもので、極めて簡素な構成で、海上コンテナの横開き式の扉の開放時に、扉を所定の角度で保持して回動を防止することができる着脱作業性に優れた海上コンテナ用扉半開き保持治具を提供することを目的とする。
【課題を解決するための手段】
【０００５】
前記目的に沿う本考案に係る海上コンテナ用扉半開き保持治具は、一端側が、側壁の開口側端部に回動可能に保持される横開き式の扉を開放状態で保持する海上コンテナ用扉半開き保持治具において、
前記扉の開放時に、該扉の一端側と前記側壁の開口側端部との隙間に挿通される挿通軸と、該挿通軸の先側に形成され前記扉を挟持する扉挟持部と、前記挿通軸を挟んで前記扉挟持部の反対側に形成され前記側壁を挟持する側壁挟持部とを有する。
【０００６】
本考案に係る海上コンテナ用扉半開き保持治具において、前記扉挟持部は、前記挿通軸の先側に該挿通軸と直交して設けられ前記扉の外表面に当接する扉外側支持部と、前記挿通軸の長手方向の途中に前記扉外側支持部と間隔を空けて設けられ前記扉の内面側で該扉の一端側の角部に当接する扉内側支持部とを有し、前記側壁挟持部は、前記挿通軸の先側に該挿通軸と直交して設けられ前記側壁の外表面に当接する側壁外側支持部と、前記挿通軸の長手方向の途中に前記側壁外側支持部と間隔を空けて設けられ前記側壁の内面側で該側壁の開口側角部に当接する側壁内側支持部とを有することが好ましい。
【０００７】
本考案に係る海上コンテナ用扉半開き保持治具において、前記側壁外側支持部は、前記扉外側支持部と一体に形成され、該扉外側支持部の延長線上に配置されることが好ましい。
【０００８】
本考案に係る海上コンテナ用扉半開き保持治具において、前記扉外側支持部、前記扉内側支持部、前記側壁外側支持部、及び前記側壁内側支持部それぞれの少なくとも先側外周を覆う保護部を有することが好ましい。
【０００９】
本考案に係る海上コンテナ用扉半開き保持治具において、前記扉外側支持部、前記扉内側支持部、前記側壁外側支持部、及び前記側壁内側支持部それぞれの長手方向に沿って補強材が取付けられていることが好ましい。
【００１０】
本考案に係る海上コンテナ用扉半開き保持治具において、前記挿通軸の基側にハンドル部が取付けられていることが好ましい。
【考案の効果】
【００１１】
本考案に係る海上コンテナ用扉半開き保持治具によれば、扉の開放時に、扉の一端側と側壁の開口側端部との隙間に挿通される挿通軸と、挿通軸の先側に形成され扉を挟持する扉挟持部と、挿通軸を挟んで扉挟持部の反対側に形成され側壁を挟持する側壁挟持部とを有するので、コンテナ等の扉を所定の角度に開いたまま保持して回動を防止することができる。
【００１２】
扉挟持部が、挿通軸の先側に挿通軸と直交して設けられ扉の外表面に当接する扉外側支持部と、挿通軸の長手方向の途中に扉内側支持部と間隔を空けて設けられ扉の内面側で扉の一端側の角部に当接する扉内側支持部とを有し、側壁挟持部が、挿通軸の先側に挿通軸と直交して設けられ側壁の外表面に当接する側壁外側支持部と、挿通軸の長手方向の途中に側壁外側支持部と間隔を空けて設けられ側壁の内面側で側壁の開口側角部に当接する側壁内側支持部とを有する場合、扉と側壁の隙間に挿通軸の先側を挿通した後、挿通軸を所定角度（例えば９０度）回転させるだけで、扉外側支持部と扉内側支持部で扉を挟持し、側壁外側支持部と側壁内側支持部で側壁を挟持することができ、着脱作業性及び扉の固定安定性に優れる。
【００１３】
側壁外側支持部が、扉外側支持部と一体に形成され、扉外側支持部の延長線上に配置される場合、狭い隙間からでも扉外側支持部と側壁外側支持部を挿通することができると共に、扉外側支持部と側壁外側支持部が扉の外表面と側壁の外表面との間に突っ張るように一直線上に配置されるので、変形が発生し難く、扉の固定安定性及び耐久性に優れる。
【００１４】
扉外側支持部、扉内側支持部、側壁外側支持部、及び側壁内側支持部それぞれの少なくとも先側外周を覆う保護部を有する場合、各部の先側で扉又は側壁を傷付けることや作業者が怪我をすることを防止でき、取扱い性に優れる。
【００１５】
扉外側支持部、扉内側支持部、側壁外側支持部、及び側壁内側支持部それぞれの長手方向に沿って補強材が取付けられている場合、各部の変形及び破損を効果的に防止し、耐久性を向上させることができる。
【００１６】
挿通軸の基側にハンドル部が取付けられている場合、持ち運びが容易になると共に、隙間への挿通軸の挿通及び挿通軸の回転等の作業性に優れる。
【図面の簡単な説明】
【００１７】
【図１】本考案の一実施の形態に係る海上コンテナ用扉半開き保持治具を示す斜視図である。
【図２】同海上コンテナ用扉半開き保持治具を示す側面図である。
【図３】同海上コンテナ用扉半開き保持治具の使用状態を示す平断面図である。
【図４】海上コンテナを示す斜視図である。
【図５】従来の扉半開き固定治具を示す斜視図である。
【図６】従来の扉半開き固定治具の使用状態を示す平断面図である。
【考案を実施するための形態】
【００１８】
続いて、添付した図面を参照しつつ、本考案を具体化した実施の形態につき説明し、本考案の理解に供する。
図１、図２に示す本考案の一実施の形態に係る海上コンテナ用扉半開き保持治具１０は、図３に示すように、海上コンテナの収容部（コンテナ本体）１１の開口部１２に回動可能に取付けられる横開き式（両開き又は片開き）の扉１３の開放時に、扉１３を所定の角度で保持して回動を防止するものである。この扉１３は、図３に示すように、収容部１１の側壁１４の開口側端部に対し、扉１３の一端側が蝶番１５を介して回動可能に保持されており、扉１３の一端側には、開口部１２を密閉するためにパッキン１６が取付けられている。
【００１９】
以下、海上コンテナ用扉半開き保持治具（以下、単に「治具」ともいう）１０の詳細について説明する。
図１〜図３に示すように、治具１０は、扉１３の開放時に、扉１３の一端側と側壁１４の開口側端部との隙間１７に挿通される挿通軸２０と、挿通軸２０の先側に形成され扉１３を挟持する扉挟持部２１と、挿通軸２０を挟んで扉挟持部２１の反対側に形成され側壁１４を挟持する側壁挟持部２２とを有する。
扉挟持部２１は、挿通軸２０の先側に挿通軸２０と直交して設けられ扉１３の外表面に当接する扉外側支持部２３と、挿通軸２０の長手方向の途中に扉外側支持部２３と間隔を空けて設けられ扉１３の内面側で扉１３の一端側の角部に当接する扉内側支持部２４とを有する。また、側壁挟持部２２は、挿通軸２０の先側に挿通軸２０と直交して設けられ側壁１４の外表面に当接する側壁外側支持部２５と、挿通軸２０の長手方向の途中に側壁外側支持部２５と間隔を空けて設けられ側壁１３の内面側で側壁１４の開口側角部に当接する側壁内側支持部２６とを有する。
【００２０】
挿通軸２０、扉外側支持部２３、扉内側支持部２４、側壁外側支持部２５、及び側壁内側支持部２６は、それぞれ丸鋼で形成され、互いに溶接により接合されたものが好適に用いられる。なお、側壁外側支持部２５は、扉外側支持部２３と一体に形成され、扉外側支持部２３の延長線上に配置される、つまり、扉外側支持部２３と側壁外側支持部２５は１本の丸鋼で形成されることが好ましい。これにより、狭い隙間１７からでも扉外側支持部２３と側壁外側支持部２５を挿通することができると共に、扉外側支持部２３と側壁外側支持部２５が扉１３の外表面と側壁１４の外表面との間に突っ張るように一直線上に配置されるので、変形が発生し難く、扉１３の固定安定性及び耐久性に優れる。なお、上記の丸鋼の代りに角鋼を用いてもよい。また、扉１３の重量に対し、十分な強度を確保して、変形（座屈）及び破損を防止できる場合は、各部を丸パイプ又は角パイプ等で形成してもよい。
【００２１】
扉外側支持部２３、扉内側支持部２４、側壁外側支持部２５、及び側壁内側支持部２６それぞれの少なくとも先側外周を覆うように保護部（例えばスポンジゴム）２７を取付けることにより、各部の先側で扉１３又は側壁１４を傷付けることや作業者が怪我をすることを防止できる。
また、図１〜図３に二点鎖線で示すように、扉外側支持部２３、扉内側支持部２４、側壁外側支持部２５、及び側壁内側支持部２６それぞれの長手方向に沿って補強材（例えば平板状の金属板）２８を取付ける（溶接する）ことにより、各部の変形及び破損を効果的に防止することができるが、省略してもよい。なお、補強材２８の厚さは適宜、選択することができ、補強材２８の幅は、隙間１７を通過できる範囲で適宜、選択することができる。
扉外側支持部２３、扉内側支持部２４、側壁外側支持部２５、及び側壁内側支持部２６のそれぞれの長さ、扉外側支持部２３と扉内側支持部２４の間隔、並びに側壁外側支持部２５と側壁内側支持部２６の間隔は、それぞれ扉１３の厚さ、側壁１４の厚さ、及び扉１３を保持する角度（扉１３の開度）に応じて、適宜、選択することができる。そして、同じ厚さの扉１３又は側壁１４に対し、扉外側支持部２３と扉内側支持部２４の長さ若しくは間隔又は側壁外側支持部２５と側壁内側支持部２６の長さ若しくは間隔を変更（選択）することにより、扉１３の開度を変えることができる。例えば扉外側支持部２３の長さを短くし、扉外側支持部２３と扉内側支持部２４の間隔を広げれば、扉１３の開度が大きくなる。
【００２２】
また、挿通軸２０の基側には、図１〜図３に示すように、ハンドル部２９を取付けることが好ましい。作業者がハンドル部２９を手で握ることにより、治具１０の持ち運びが容易になると共に、隙間１７への挿通軸２０の挿通及び挿通軸２０の回転等の作業性に優れる。本実施の形態では、ハンドル部２９を挿通軸２０と直交する一本の棒状（一文字状）に形成したが、ハンドル部２９の形状は、これに限定されることなく適宜、選択することができる。例えば、十文字状に形成してもよいし、円形、楕円形（長円形）、又は長方形等の環状に形成してもよい。
【００２３】
治具１０を使用する際には、図１に示すように、扉外側支持部２３及び側壁外側支持部２５が隙間１７とほぼ平行になるように（隙間１７を通過できるように）してハンドル部２９を手で握り、挿通軸２０の先側を隙間１７に挿通する。そして、扉外側支持部２３及び側壁外側支持部２５が、それぞれ扉１３及び側壁１４の外側まで達したら、ハンドル部２９を捻って挿通軸２０を９０度程度回転（図３のように左側の扉１３に装着する場合は左回転）させる。これにより、図３に示すように、扉挟持部２１（扉外側支持部２３及び扉内側支持部２４）と側壁挟持部２２（側壁外側支持部２５及び側壁内側支持部２６）で、それぞれ扉１３及び側壁１４を挟持して、扉１３を所定の角度（半開き状態）で保持することができる。なお、治具１０の取付け位置は、蝶番１５の上側でも下側でもよいが、蝶番１５の上側に取付けた場合は、蝶番１５で挿通軸２０を下方から支持することができ、治具１０の落下を防止することができる。
【００２４】
以上、本考案の実施の形態を説明したが、本考案は、上記した形態に限定されるものでなく、要旨を逸脱しない条件の変更等は全て本考案の適用範囲である。
上記実施の形態では、挿通軸に対して、扉外側支持部、扉内側支持部、側壁外側支持部、及び側壁内側支持部の位置を固定したが、扉外側支持部と扉内側支持部との間隔及び側壁外側支持部と側壁内側支持部との間隔を可変な構造とし、扉の開度を調整（選択）できるようにしてもよい。具体的には、例えば、挿通軸の長手方向に沿って扉内側支持部及び側壁内側支持部をスライドさせて固定位置を変化させる構造、挿通軸の長手方向に沿って複数の雌螺子部を形成し、扉内側支持部及び側壁内側支持部の基側に雄螺子部を形成して、扉内側支持部及び側壁内側支持部の取付け（固定）位置を変化させる構造、挿通軸の先側を伸縮させて扉外側支持部及び側壁外側支持部の位置を変化させる構造等が考えられるが、これらに限定されるものではない。
また、上記実施の形態では、補強材を平板状の金属板としたが、補強材の形状は特に限定されるものではなく、治具の着脱時に隙間を通過する際の妨げとならない範囲で、適宜、選択することができる。例えば、断面コ字形又は断面Ｌ字型等に形成してもよい。
さらに、上記実施の形態では、治具を扉及び側壁の内側から外側に挿通して装着する場合について説明したが、扉及び側壁の外側から内側に挿通して装着することも可能である。
なお、本考案に係る治具は海上コンテナに限らず、横開き式の扉を有するその他のコンテナ、冷凍庫、又は倉庫等に対しても適用可能である。
【符号の説明】
【００２５】
１０：海上コンテナ用扉半開き保持治具、１１：収容部（コンテナ本体）、１２：開口部、１３：扉、１４：側壁、１５：蝶番、１６：パッキン、１７：隙間、２０：挿通軸、２１：扉挟持部、２２：側壁挟持部、２３：扉外側支持部、２４：扉内側支持部、２５：側壁外側支持部、２６：側壁内側支持部、２７：保護部、２８：補強材、２９：ハンドル部、３０：海上コンテナ、３１：収容部（コンテナ本体）、３２：開口部、３３：扉、３４：側壁、３５：蝶番、３６：扉半開き固定治具、３７：当接片、３８：補強片、３９：隙間、４０：係止部、４１：パッキン
【図１】
0003221371.tif 000003
【図２】
0003221371.tif 000004
【図３】
0003221371.tif 000005
【図４】
0003221371.tif 000006
【図５】
0003221371.tif 000007
【図６】
0003221371.tif 000008